(57)【要約】【課題】ハンガーの固定位置を片手で簡単に変更することができ、収納レイアウトを自由に変更することができるスライドハンガーを提供する。【解決手段】レール２上の任意の位置に脱着可能に固定するスライドハンガー１において、レール２の下面にスライドブロック３を掛け止めて係止する係合溝２ａを設け、スライドブロック３を、外側を覆う一対の側壁を有する外ブロック５と、この外ブロック５の一対の側壁内に装着される一対の側壁を有する内ブロック６と、から構成し、これらの外ブロック５の前記側壁と内ブロック６の前記側壁のいずれか一方にピンを突設し、他方に嵌合凹部又は嵌合孔を形成し、外ブロック５と内ブロック６を、互いに揺動自在に嵌合し、且つ、外ブロック５と内ブロック６の上部に、それぞれ係合爪を形成するとともに、外ブロック５と内ブロック６との間に、互いに押し広げる方向に付勢するばね材を介装する。【選択図】図１
2019208588.tif 000002
【特許請求の範囲】
【請求項１】
棚又は天板の下面に取り付けられるレールと、このレール上をスライド自在なスライドブロックと、このスライドブロックに固定されたハンガーとを備え、前記レール上の任意の位置に脱着可能に固定するスライドハンガーであって、
前記レールは、下面に前記スライドブロックを掛け止めて係止する係合溝を有し、
前記スライドブロックは、外側を覆う一対の側壁を有する外ブロックと、この外ブロックの前記一対の側壁内に装着される一対の側壁を有する内ブロックと、からなり、
これらの外ブロックの前記側壁と内ブロックの前記側壁とは、いずれか一方にピンが突設され、他方に当該ピンと嵌合する嵌合凹部又は嵌合孔が形成されており、前記外ブロックと前記内ブロックとが、互いに揺動自在に嵌合され、
且つ、前記外ブロックと前記内ブロックとの上部には、それぞれ前記係合溝と係合する係合爪が形成されているとともに、
前記外ブロックと前記内ブロックとの間には、これらを互いに押し広げる方向に付勢するばね材が介装されており、当該ばね材の付勢力に抗して押圧することで前記外ブロックと前記内ブロックとが互いに揺動して前記レールと前記スライドブロックとの係合が解除されること
を特徴とするスライドハンガー。
【請求項２】
前記係合溝は、前記レールの長手方向に沿った両縁から内側へ折り返された断面Ｌ字状の折返し片を有した溝であり、
前記外ブロックと前記内ブロックの前記係合爪同士は、前記ばね材で互いに広がる方向に付勢されていること
を特徴とする請求項１に記載のスライドハンガー。
【請求項３】
前記内ブロックは、前記棚又は前記天板に向かって手前に面して装着されていること
を特徴とする請求項１又は２に記載のスライドハンガー。
【請求項４】
前記ばね材は、コイルスプリングであり、前記外ブロックと前記内ブロックのいずれか一方に形成された筒状部又は棒状部に当該コイルスプリングが装着されていること
を特徴とする請求項１ないし３のいずれかに記載のスライドハンガー。
【発明の詳細な説明】
【技術分野】
【０００１】
本発明は、吊戸棚などのキッチン用の収納庫の棚下や天板下に装着されるレール上の任意の位置にスライド自在に固定するスライドハンガーに関する。
【背景技術】
【０００２】
従来、キッチンの吊戸棚などの収納庫の棚板や天板には、キッチンペーパーやまな板等のキッチン用具を支持するためのハンガーが固設されていた。しかし、棚板や天板にハンガーを固設すると、その用途が限定されるとともに、収納庫の収納レイアウトを自由に変更することができないという問題がある。
【０００３】
このような問題を解決するために、収納庫の棚下や天板下にレールを装着し、そのレール上をスライド自在なスライドブロックを設け、そのスライドブロックでレール上の任意の位置に固定することができるスライドハンガーが提案されるようになった。
【０００４】
例えば、特許文献１には、下方が開口した固定式の外キャビネット２と、前面が開口した可動式の内キャビネット３を備え、前記内キャビネット３を前記外キャビネット２に対して昇降可能に支持するとともに、該内キャビネット３の左右の側板３ａ間に棚板６を水平に架設して成る昇降式吊戸棚１において、前記棚板６の下面にガイドレールを左右方向に形成し、該ガイドレールにスライド可能に嵌合するスライドブロック９を介してハンガー８を前記棚板６に左右方向にスライド可能且つ着脱可能に取り付けた昇降式吊戸棚が開示されている（特許文献１の特許請求の範囲の請求項１、明細書の段落［００１６］〜［００３４］、図面の図１１〜図１３等参照）。
【０００５】
しかし、特許文献１に記載の昇降式吊戸棚のスライドブロック９では、移動の際に両手で掴んでずらす必要があり、フックの固定位置を片手で簡単に移動することができないという問題があった。特に、昇降式吊戸棚のように高所に設置されている場合は、脚立等に昇って目線を上げてスライドブロック９を間近で視認したうえ、固定の解除を行ってスライド移動する必要があり、面倒であるという問題があった。
【先行技術文献】
【特許文献】
【０００６】
【特許文献１】特開２０１０−２５３００１号公報
【発明の概要】
【発明が解決しようとする課題】
【０００７】
そこで、本発明は、上述した問題に鑑みて案出されたものであり、その目的とするところは、ハンガーの固定位置を片手で簡単に変更することができ、収納レイアウトを自由に変更することができるスライドハンガーを提供することである。
【課題を解決するための手段】
【０００８】
第１発明に係るスライドハンガーは、棚又は天板の下面に取り付けられるレールと、このレール上をスライド自在なスライドブロックと、このスライドブロックに固定されたハンガーと、を備え、前記レール上の任意の位置に脱着可能に固定するスライドハンガーであって、前記レールは、下面に前記スライドブロックを掛け止めて係止する係合溝を有し、前記スライドブロックは、外側を覆う一対の側壁を有する外ブロックと、この外ブロックの前記一対の側壁内に装着される一対の側壁を有する内ブロックと、からなり、これらの外ブロックの前記側壁と内ブロックの前記側壁とは、いずれか一方にピンが突設され、他方に当該ピンと嵌合する嵌合凹部又は嵌合孔が形成されており、前記外ブロックと前記内ブロックとが、互いに揺動自在に嵌合され、且つ、前記外ブロックと前記内ブロックとの上部には、それぞれ前記係合溝と係合する係合爪が形成されているとともに、前記外ブロックと前記内ブロックとの間には、これらを互いに押し広げる方向に付勢するばね材が介装されており、当該ばね材の付勢力に抗して押圧することで前記外ブロックと前記内ブロックとが互いに揺動して前記レールと前記スライドブロックとの係合が解除されることを特徴とする。
【０００９】
第２発明に係るスライドハンガーは、第１発明において、前記係合溝は、前記レールの長手方向に沿った両縁から内側へ折り返された断面Ｌ字状の折返し片を有した溝であり、前記外ブロックと前記内ブロックの前記係合爪同士は、前記ばね材で互いに広がる方向に付勢されていることを特徴とする。
【００１０】
第３発明に係るスライドハンガーは、第１発明又は第２発明において、前記内ブロックは、前記棚又は前記天板に向かって手前に面して装着されていることを特徴とする。
【００１１】
第４発明に係るスライドハンガーは、第１発明ないし第３発明の何れかの発明において、前記ばね材は、コイルスプリングであり、前記外ブロックと前記内ブロックのいずれか一方に形成された筒状部又は棒状部に当該コイルスプリングが装着されていることを特徴とする。
【発明の効果】
【００１２】
第１発明〜第４発明によれば、外ブロックと内ブロックの揺動でレールへの固定及び解除ができるので、外ブロックと内ブロックを掴んで一方を押圧するだけでスライドブロックの固定及び解除を行うことができる。このため、ハンガーの固定位置を片手で簡単に変更することができ、吊戸棚などの収納庫内の収納レイアウトを自由に変更することができる。
【００１３】
特に、第２発明によれば、レールの係合溝が内側へ折り返された断面Ｌ字状の折返し片を有した溝となっているので、外側からレールの溝が見えにくく、見栄えがよくなりデザイン性が向上するだけでなく、埃などが溜まりにくく清掃も容易となる。その上、外ブロックと内ブロックの前記係合爪同士は、ばね材で互いに広がる方向に付勢されているので、ゴミやキッチン用品などがばねに引っ掛かるおそれが少ない上、ばね材を内ブロック等に収容してばねが外部から見えないようすることができ、その点でもデザイン性が向上する。
【００１４】
特に、第３発明によれば、内ブロックが棚又は天板に向かって手前に面して、即ち、棚や天板の外側から見て内ブロックが外ブロックに隠れるのではなく、外ブロックに対して手前側に位置するように装着されている。このため、係合のロックを解除する際に押圧すべき内ブロックが視認し易く、高所にあった場合でも簡単に片手でつまんで内ブロックを押圧することができる。よって、さらにスライドハンガーの固定位置の調整や変更が容易となる。
【００１５】
特に、第４発明によれば、内ブロック又は外ブロックの筒状部又は棒状部にコイルスプリングが装着されているので、コイルスプリングの伸縮動作を筒状部又は棒状部で案内することとなる。このため、コイルスプリングを構成する鋼線同士が引っ掛かるおそれが少なくなり、コイルスプリングの伸縮動作が安定する。
【図面の簡単な説明】
【００１６】
【図１】本発明の第１実施形態に係るスライドハンガーを示す斜視図である。
【図２】同上のスライドハンガーの構成を示す分解斜視図である。
【図３】同上のスライドハンガーのレールを示す斜視図である。
【図４】同上のレールを示す鉛直断面図である。
【図５】同上のスライドハンガーの外ブロックを示す正面斜視図である。
【図６】同上の外ブロックを示す背面斜視図である。
【図７】同上の外ブロックを示す背面図である。
【図８】同上の外ブロックを示す側面図である。
【図９】同上のスライドハンガーの内ブロックを示す正面斜視図である。
【図１０】同上の内ブロックを示す背面斜視図である。
【図１１】同上の内ブロックを示す背面図である。
【図１２】同上の内ブロックを示す側面図である。
【図１３】同上のスライドハンガーのハンガーを示す斜視図である。
【図１４】同上のスライドハンガーの鉛直断面の断面斜視図である。
【図１５】同上のスライドハンガーの固定状況を示す図であり、（ａ）が側面図、（ｂ）が正面斜視図である。
【図１６】同上のスライドハンガーの固定解除状況を示す図であり、（ａ）が側面図、（ｂ）が正面斜視図である。
【図１７】本発明の第２実施形態に係るスライドハンガーを示す斜視図である。
【図１８】同上のスライドハンガーの外ブロックを示す正面斜視図である。
【図１９】同上の外ブロックを示す背面斜視図である。
【図２０】同上のスライドハンガーの内ブロックを示す正面斜視図である。
【図２１】同上の内ブロックを示す背面斜視図である。
【発明を実施するための形態】
【００１７】
以下、本発明を適用したスライドハンガーを実施するための形態について、図面を参照しながら詳細に説明する。
【００１８】
［第１実施形態］
先ず、図１〜図１３用いて、本発明の第１実施形態に係るスライドハンガー１の各構成について説明する。本発明の第１実施形態に係るスライドハンガー１を示す斜視図であり、図２は、そのスライドハンガー１の構成を示す分解斜視図である。
【００１９】
図１、図２に示すように、本発明の第１実施形態に係るスライドハンガー１は、レール２と、このレール２上をスライド自在なスライドブロック３と、このスライドブロック３に固定されたハンガー４と、を備えている。
【００２０】
（レール）
次に、図３、図４を用いて、スライドハンガー１のレール２について説明する。図３は、スライドハンガー１のレール２を示す斜視図であり、図４は、レール２を示す鉛直断面図である。
【００２１】
レール２は、アルミニウムなどの金属製のレールであり、図３、図４に示すように、下方が開放された断面コの字状のレール本体２０を有している。また、このレール本体２０の下面には、スライドブロック３を掛け止めて係止する係合溝２ａが形成されている。この係合溝２ａは、長手方向に沿った両縁から内側へ折り返された断面Ｌ字状の一対の折返し片２１，２１を有した溝である。この係合溝２ａは、折返し片２１，２１で後述のスライドブロック３の係合爪５１，６１を掛け止めてスライドブロック３をレール２上の任意の位置に脱着可能に固定する機能を有している。
【００２２】
また、このレール本体２０の上面には、複数のビス孔２ｂが穿設されており、昇降式吊戸棚などの棚の棚板の下面にレール２を固定することが可能となっている。レール２は、棚板の正面側の縁に沿って、ビス孔２ｂに図示しないビスを挿通してねじ止め固定される。なお、ここで、正面とは、棚を外側から正対して目視した際の目線方向の面を指しており、背面とは、正面とは反対側の面を指している（以下、同じ）。
【００２３】
その上、係合溝２ａには、後述のスライドブロック３の係合爪５１，６１の揺動軌道に応じて係合爪をガイドする断面円弧状のガイド部２２が形成されている。このため、係合爪の揺動動作がスムーズとなっている。
【００２４】
（スライドブロック）
次に、スライドハンガー１のスライドブロック３について説明する。スライドブロック３は、樹脂製の２つのブロック体同士が揺動可能に嵌着されて概略立方体状（六面体状）となった部材である。このスライドブロック３は、図２に示すように、外側を覆う外ブロック５と、この外ブロック５内に装着される内ブロック６と、から構成されている。
【００２５】
（外ブロック）
先ず、図５〜図８を用いて、スライドブロック３の外ブロック５について説明する。図５は、スライドブロック３の外ブロック５を示す正面斜視図であり、図６は、の外ブロック５を示す背面斜視図である。また、図７は、外ブロック５を示す背面図であり、図８は、外ブロック５を示す側面図である。
【００２６】
図５〜図８に示すように、外ブロック５は、水平断面がコの字状の外ブロック本体５０と、この外ブロック本体５０の上端と接続する係合爪５１など、から主に構成されている。
【００２７】
この外ブロック本体５０は、一対の側壁５２と、これらの側壁５２間に設けられた背面板５３と、これらの側壁５２及び背面板５３に接続する底板５４など、から構成されている。
【００２８】
これら一対の側壁５２には、図５に示すように、内ブロック６に突設された後述の嵌合ピン６２ａと嵌合する嵌合凹部５２ａがそれぞれ形成されている。
【００２９】
また、背面板５３には、図６に示すように、ばね材であるステンレス鋼線からなるコイルスプリング７を装着する筒状部６３ａを挿通可能な大きさの上下方向に長い長孔である背面孔５３ａが穿設されている。このため、外ブロック５と内ブロック６をコイルスプリング７で内側から押圧付勢しながら外ブロック５と内ブロック６が揺動しても、コイルスプリング７を装着している筒状部６３ａが障害とならない構成となっている。
【００３０】
それに加え、図６に示すように、背面板５３には、内ブロック６の係合爪６１が当接して揺動を止めるストッパ５３ｂが形成されている。レール２からスライドブロック３を取り外した際に、コイルスプリング７の反発力（付勢力）で押圧されて内ブロック６が揺動し過ぎることを防止するためである。このストッパ５３ｂは、一定の強度を確保するとともに、軽量化と樹脂材の節約のために、半割円筒状に形成されている。
【００３１】
底板５４は、平板状の部材であり、外ブロック５と内ブロック６の互いの揺動を阻害しないように、側壁５２の幅（奥行）の半分程の幅となっており、背面板５３側に偏在して設けられている。
【００３２】
また、係合爪５１は、一対の側壁５２と接続して斜め上方に延在する一対の立上り部５１ａと、これらの立上り部５１ａの突端に架け渡された爪部５１ｂと、を有している。図６、図７に示すように、これらの立上り部５１ａと爪部５１ｂとに囲まれたスペースは、内ブロック６の係合爪６１が揺動するスペースとして開口されている。
【００３３】
（内ブロック）
次に、図９〜図１２を用いて、スライドブロック３の内ブロック６について説明する。図９は、スライドブロック３の内ブロック６を示す正面斜視図であり、図１０は、内ブロック６を示す背面斜視図である。また、図１１は、内ブロック６を示す内側からみた背面図であり、図１２は、内ブロック６を示す側面図である。
【００３４】
図９〜図１２に示すように、内ブロック６は、水平断面がコの字状の内ブロック本体６０と、この内ブロック本体６０の上端と接続する係合爪６１など、から主に構成されている。
【００３５】
この内ブロック本体６０は、一対の側壁６２と、これらの側壁６２間に設けられた正面板６３と、これらの側壁６２及び正面板６３に接続する底板６４など、から構成されている。
【００３６】
これら一対の側壁６２には、図９〜図１２に示すように、前述の嵌合凹部５２ａに嵌め込まれて揺動軸となる円柱状の嵌合ピン６２ａが、それぞれ外側に向け突設されている。
【００３７】
また、正面板６３の内面（背面）には、コイルスプリング７を装着する筒状部６３ａが突設されている。この筒状部６３ａの直径は、前述の背面孔５３ａの横幅より狭く設定されており、揺動の際、筒状部６３ａの先端が、長孔形状の背面孔５３ａ内を上下に移動可能となっている。
【００３８】
なお、この筒状部６３ａは、外側にコイルスプリング７を遊嵌していればよいので、棒状部とすることもできる。但し、筒状部６３ａとした方が、断面性能が向上するため、強度が高く、且つ、樹脂材料を低減して軽量化を図ることができる。
【００３９】
底板６４は、平板状の部材であるが、底面が円弧状の曲面で切り欠かれており、底面が平坦な平面部６４ａと、底面が円弧状となった曲面部６４ｂとが形成されている。この曲面部６４ｂは、内ブロック６が嵌合ピン６２ａを中心として揺動する際に、外ブロック５の底板５４が当接しないように円弧状の曲面に切り欠かれている。
【００４０】
また、係合爪６１は、一対の側壁６２と接続して斜め上方に延在する一対の立上り部６１ａと、これらの立上り部６１ａの突端部分に形成された爪部６１ｂと、を有している。但し、係合爪６１は、外ブロック５の係合爪５１と相違して、開口されておらず、階段状に全て閉塞されている。
【００４１】
そして、係合爪６１の基端部には、長孔円弧状に切り欠かれた切欠き部６１ｃが形成されている。この切欠き部６１ｃは、ハンガー４を挿通する大きさとなっており、切欠き部６１ｃに挿通されたハンガー４を外ブロック５の係合爪５１の基端部との間に挟み込んで固定する機能を有している。
【００４２】
その上、図１１に示すように、係合爪６１の立上り部６１ａ間の閉塞された部分には、所望の強度を達成するとともに、軽量化を図るために、複数の矩形の凹部６１ｄが形成されている。
【００４３】
次に、図１３を用いて、スライドハンガー１のハンガー４について説明する。図１３は、スライドハンガー１のハンガー４を示す斜視図である。
【００４４】
図１３に示すように、ハンガー４は、棒状の複数の金属線材が溶接されて組み合わされた部材であり、上辺部材４０と、補強横材４１と、正面視Ｊ字状の４本のフック４２と、から構成されている。
【００４５】
上辺部材４０は、棒状の複数の金属線材から平面視コの字状に折り曲げられた部材であり、直線部４０ａと、その直線部４０ａの端部が９０度折り曲げられた正面折返し部４０ｂと、背面折返し部４０ｃと、を有している。また、正面折返し部４０ｂの突端は、スライドブロック３が抜け出さないように、さらに９０度折り返されたストッパ部４０ｄが形成されている。
【００４６】
このハンガー４は、正面折返し部４０ｂがスライドブロック３の外ブロック５の係合爪５１の基端部と、内ブロック６の係合爪６１の基端部との間に挿通されて固定されている。
【００４７】
そして、このハンガー４は、４本のフック４２にキッチン用品等の様々な物品を引っ掛けて使用するハンガーフックとしての機能を有している。
【００４８】
＜スライドハンガーの使用方法＞
次に、図１４〜図１６を用いて、本発明に係るスライドハンガーの使用方法について説明する。前述の第１実施形態に係るスライドハンガー１を例示して説明する。図１４は、スライドハンガー１の鉛直断面を示す断面斜視図である。図１５は、スライドハンガー１の固定状況を示す図であり、（ａ）が側面図、（ｂ）が正面斜視図である。そして、図１６は、スライドハンガー１の固定解除状況を示す図であり、（ａ）が側面図、（ｂ）が正面斜視図である。
【００４９】
先ず、図１４，図１５において、スライドハンガー１のレール２が、棚下に取り付けられて、レール２にスライドブロック３及びそのスライドブロック３に固定されたハンガー４が、固定されている状態を示す。
【００５０】
スライドブロック３は、前述のように、外ブロック５と内ブロック６が、嵌合凹部５２ａに嵌め込まれた嵌合ピン６２ａを軸として揺動自在に組み合わされている。そして、図１４に示すように、筒状部６３ａに外嵌されたコイルスプリング７により、内部から外側へ向け外ブロック５と内ブロック６を押圧付勢している。このコイルスプリング７の反発力（付勢力）により、外ブロック５及び内ブロック６は、嵌合ピン６２ａを軸として揺動し、係合爪５１及び係合爪６１がレール２の係合溝２ａの折返し片２１に押し付けられることとなる。このため、レール２上の任意の位置にスライドブロック３を固定することができる。
【００５１】
また、コイルスプリング７は、図１４に示すように、内ブロック６の正面板６３の内面（背面）に突設された円筒状の筒状部６３ａの外周面に沿って装着されているので、コイルスプリング７の伸縮動作を筒状部６３ａで案内することとなる。このため、コイルスプリング７を構成する鋼線同士が引っ掛かるおそれが少なくなり、コイルスプリング７の伸縮動作が安定する。
【００５２】
図１５に示す状態は、レール２にスライドブロック３が固定されている状態であり、この状態では、係合爪５１及び係合爪６１は、その基端部の切欠き部６１ｃに、ハンガー４の正面折返し部４０ｂが挿通されて固定されている。このため、ハンガー４の４本のフック４２にコップなどの食卓用品やレードル、トング、小型フライパンなどのキッチン用品等を引っ掛けて収納することができる。
【００５３】
なお、外ブロック５と内ブロック６の組み合わせは、図１５（ｂ）に示すように、内ブロック６が棚に向かって手前に面するように、即ち、正面視で内ブロック６が視認可能な位置に設置する方が好ましい。逆に外ブロック５を手前に設置すると、内ブロック６が棚の外側から視認できないからである。内ブロック６が棚に向かって手前に面するように配置することにより、後述の固定解除やスライド動作をどのように行えばよいか直感的に把握することができる。
【００５４】
また、図１５（ｂ）に示すように、内ブロック６の正面板６３の正面には、「押す」という文字が刻印され、又は「押す」という表示がされていることが好ましい。より直感的に固定解除やスライド動作の方法が理解でき、説明書等を読んで把握する必要がなくなるからである。
【００５５】
スライドブロック３のレール２への固定を解除してスライド移動したり、清掃等のために、棚に取り付けられたレール２からスライドブロック３及びハンガー４を取り外す場合は、図１６に示すように用いる。
【００５６】
スライドブロック３の固定を解除する場合は、スライドブロック３を片手でつまみ、図１５（ｂ）に示す内ブロック６の正面板６３の「押す」という刻印を親指等で押圧する。これにより、図１６（ａ）に示すように、コイルスプリング７（図１４参照）の反発力に抗して、外ブロック５及び内ブロック６が嵌合ピン６２ａを軸として矢印方向に揺動する。これにより、係合爪５１及び係合爪６１も揺動して係合溝２ａとの係合のロックを解除することができる。このため、レール２の係合溝２ａからスライドブロック３及びハンガー４を簡単に取り外すことができる。
【００５７】
これにより、スライドブロック３のレール２上でのスライド移動が自在となり、収容するキッチン用品等の様々な物品の大きさや形状に合わせて、収納レイアウトを自由に変更することが可能となる。
【００５８】
なお、本実施形態に係るスライドハンガー１では、筒状部６３ａの突端から筒内の内周面に向け、ワッシャーを介してビス止めされて、背面孔５３ａにビス及びワッシャーが掛け止められている（図示せず）。このため、図１６（ｂ）等で示すように、レール２からスライドブロック３を取り外した状態で、手を放してもコイルスプリング７の反発力で外ブロック５と内ブロックの嵌合状態が外れてしまうおそれがなくなる。
【００５９】
以上説明した本発明の第１実施形態に係るスライドハンガー１によれば、スライドブロック３を片手でつまみ、内ブロック６の正面板６３の「押す」という刻印を親指等で押圧するだけでスライドブロック３の固定及び解除を行うことができる。このため、ハンガー４の固定位置を片手で簡単に変更することができ、収納レイアウトを自由に変更することができる。
【００６０】
また、スライドハンガー１によれば、内ブロック６が棚の手前に面して装着されているので、係合のロックを解除する際に押圧すべき内ブロック６が視認し易く、高所にあった場合でも簡単に片手でつまんで内ブロック６を押圧することができる。このため、さらにスライドハンガー１の固定位置の調整や変更が容易となる。
【００６１】
また、スライドハンガー１によれば、レール２の係合溝２ａが内側へ折り返された断面Ｌ字状の折返し片２１を有した溝となっているので、外側からレール２の溝が見えにくく、見栄えがよくなりデザイン性が向上する。その上、レール２の係合溝２ａに埃などが溜まりにくく清掃も容易となる。
【００６２】
その上、スライドハンガー１によれば、コイルスプリング７が内ブロック６の正面板６３の内面（背面）に突設された円筒状の筒状部６３ａの外周面に沿って装着されて、係合爪５１と係合爪６１は、互いに広がる方向に付勢されている。このため、ゴミやキッチン用品などがコイルスプリング７に引っ掛かるおそれが少ない上、ステンレス鋼線からなるため色彩の違うコイルスプリング７をスライドブロック３に収容して外部から視認できないようにすることができ、さらにデザイン性が向上する。また、コイルスプリング７の伸縮動作を筒状部６３ａで案内することとなるため、コイルスプリング７の伸縮動作が安定する。
【００６３】
［第２実施形態］
次に、図１７〜図２１を用いて、本発明の第２実施形態に係るスライドハンガー１’について説明する。図１７は、本発明の第２実施形態に係るスライドハンガー１’を示す斜視図である。スライドハンガー１’が、前述の第１実施形態に係るスライドハンガー１と相違する主な点は、レールの大きさとスライドブロックの形状及び大きさであり、同様の構成となっているため詳細な説明は省略する。特に、装着されるハンガー４は同一であるため説明を省略する。
【００６４】
図１７に示すように、スライドハンガー１’も、スライドハンガー１と同様に、レール２’と、このレール２’上をスライド自在なスライドブロック３’と、このスライドブロック３’に固定された前述のハンガー４（図示せず）と、を備えている。
【００６５】
（レール）
レール２’は、前述のレール２と同様に、金属製のレールであり、図１７に示すように、レール２と同様の構成である、断面コの字状のレール本体２０’、断面Ｌ字状の一対の折返し片２１’，２１’、断面円弧状のガイド部２２’など、を備えている。
【００６６】
また、レール本体２０’には、スライドブロック３’を掛け止めて係止する係合溝２ａ’や、棚板の下面にレール２を固定するためのビス孔２ｂ’も形成されている。このため、一対の折返し片２１’，２１’でスライドブロック３’の係合爪５１，６１’を掛け止めてスライドブロック３’をレール２’上の任意の位置に固定できる構成となっている。
【００６７】
レール２’が、レール２と大きく相違する点は、図１７に示すように、レール本体２０’の長手方向に沿った両縁部分に、断面矩形の張出し部２３’が形成されている点である。
【００６８】
（スライドブロック）
次に、スライドハンガー１’のスライドブロック３’について説明する。スライドブロック３’が、前述のスライドブロック３と大きく相違する点は、樹脂製の２つのブロック体同士が組み合わされた形状が、概略立方体状ではなく、図１７に示すように、正面に傾斜面を有した多面体形状となっている点である。
【００６９】
このスライドブロック３は、スライドブロック３と同様に、図１７に示すように、外側を覆う外ブロック５’と、この外ブロック５’内に装着される内ブロック６’と、から構成されている。
【００７０】
（外ブロック）
次に、図１８，図１９を用いて、スライドブロック３’の外ブロック５’について説明する。図１８は、スライドハンガー１’の外ブロック５’を示す正面斜視図であり、図１９は、外ブロック５’を示す背面斜視図である。
【００７１】
図１８，図１９に示すように、外ブロック５’は、前述の外ブロック５と同様に、水平断面がコの字状の外ブロック本体５０’と、この外ブロック本体５０’の上端と接続する係合爪５１’など、から主に構成されている。
【００７２】
この外ブロック本体５０’は、一対の側壁５２’と、これらの側壁５２’間に設けられた背面板５３’と、これらの側壁５２’及び背面板５３’に接続する底板５４’など、から構成されている。
【００７３】
これら一対の側壁５２’には、図１８、図１９に示すように、内ブロック６’に突設された後述の嵌合ピン６２ａ’と嵌合する嵌合孔５２ａ’がそれぞれ形成されている。この嵌合孔５２ａ’は、前述の外ブロック５の嵌合凹部５２ａと相違して凹部ではなく側壁５２’を貫通する貫通孔となっている点で相違する。
【００７４】
また、図１９に示すように、背面板５３’には、前述のコイルスプリング７を装着する筒状部６３ａ’を挿通可能な大きさの上下方向に長い長孔である背面孔５３ａ’が穿設されている。このため、外ブロック５’と内ブロック６’をコイルスプリング７で内側から押圧付勢しながら外ブロック５’と内ブロック６’が揺動しても、コイルスプリング７を装着している筒状部６３ａ’が障害とならない構成となっている。
【００７５】
それに加え、背面板５３’には、図１９に示すように、レール２’からスライドブロック３’を取り外した際に、内ブロック６’の係合爪６１’が当接して揺動を止めるストッパ５３ｂ’が形成されている。コイルスプリング７の反発力（付勢力）で押圧されて内ブロック６’が揺動し過ぎることを防止するためである。このストッパ５３ｂ’は、背面孔５３ａ’が内側へ凹んだ部分をストッパとして兼用している。
【００７６】
底板５４’は、平板状の部材であり、外ブロック５’と内ブロック６’の互いの揺動を阻害しないように、側壁５２’の幅（奥行）の半分程の幅となっており、背面板５３’側に偏在して設けられている。
【００７７】
また、係合爪５１’は、一対の側壁５２’と接続して斜め上方に延在する一対の立上り部５１ａ’と、これらの立上り部５１ａ’の突端に架け渡された爪部５１ｂ’と、を有している。図１９に示すように、これらの立上り部５１ａ’と爪部５１ｂ’とに囲まれたスペースは、内ブロック６’の係合爪６１’が揺動するスペースとして開口されている。
【００７８】
（内ブロック）
次に、図２０，図２１を用いて、スライドブロック３’の内ブロック６’について説明する。図２０は、スライドブロック３’の内ブロック６’を示す正面斜視図であり、図２１は、内ブロック６’を示す背面斜視図である。
【００７９】
図２０，図２１に示すように、内ブロック６’は、水平断面がコの字状の内ブロック本体６０’と、この内ブロック本体６０’の上端と接続する係合爪６１’など、から主に構成されている。
【００８０】
この内ブロック本体６０’は、一対の側壁６２’と、これらの側壁６２’間に設けられた正面板６３’と、これらの側壁６２’及び正面板６３’に接続する底板６４’など、から構成されている。
【００８１】
これら一対の側壁６２’には、図２０、図２１に示すように、前述の嵌合孔５２ａ’に嵌め込まれて揺動軸となる円柱状の嵌合ピン６２ａ’が、それぞれ外側に向け突設されている。
【００８２】
また、図２１に示すように、正面板６３’の内面（背面）には、前述のコイルスプリング７を装着する筒状部６３ａ’が突設されている。この筒状部６３ａ’の直径は、前述の背面孔５３ａ’の横幅より狭く設定されており、揺動の際、筒状部６３ａ’の先端が、長孔形状の背面孔５３ａ’内を上下に移動可能となっている。なお、この筒状部６３ａ’も、棒状部とすることもできる。
【００８３】
底板６４’も、前述の底板６４と同様に、平板上の底面が円弧状の曲面で切り欠かれており、底面が平坦な平面部６４ａ’と、底面が円弧状となった曲面部６４ｂ’とが形成されている。この曲面部６４ｂ’は、内ブロック６’が嵌合ピン６２ａ’を中心として揺動する際に、外ブロック５’の底板５４’が当接しないように円弧状の曲面に切り欠かれている。
【００８４】
また、係合爪６１’は、一対の側壁６２’と接続して斜め上方に延在する一対の立上り部６１ａ’と、これらの立上り部６１ａ’の突端部分に形成された爪部６１ｂ’と、を有している。但し、係合爪６１’も、開口されておらず、階段状に全て閉塞されている。
【００８５】
そして、係合爪６１’の基端部には、長孔円弧状に切り欠かれた切欠き部６１ｃ’が形成されている。この切欠き部６１ｃ’は、ハンガー４（図示せず）を挿通する大きさとなっており、切欠き部６１ｃ’に挿通されたハンガー４を外ブロック５’の係合爪５１’の基端部との間に挟み込んで固定する機能を有している。
【００８６】
以上説明した第２実施形態に係るスライドハンガー１’によれば、スライドハンガー１と同様に、スライドブロック３’を片手でつまみ、内ブロック６’の正面板６３を親指等で押圧するだけでスライドブロック３’の固定及び解除を行うことができる。このため、ハンガー４の固定位置を片手で簡単に変更することができ、収納庫内の収納レイアウトを自由に変更することができる。
【００８７】
また、スライドハンガー１’によれば、内ブロック６’が棚の手前に面して装着されているので、係合のロックを解除する際に押圧すべき内ブロック６’が視認し易く、高所にあった場合でも簡単に片手でつまんで内ブロック６’を押圧することができる。このため、さらにスライドハンガー１’の固定位置の調整や変更が容易となる。
【００８８】
以上、本発明の第１実施の形態に係るスライドハンガー１及び第２実施の形態に係るスライドハンガー１’について詳細に説明したが、前述した又は図示した実施の形態は、何れも本発明を実施するにあたって具体化した一実施の形態を示したものに過ぎない。よって、これらによって本発明の技術的範囲が限定的に解釈されてはならないものである。
【００８９】
特に、スライドブロック３，３’として内ブロック６，６’に嵌合ピン６２ａ，６２ａ’が突設されているものを例示して説明したが、外ブロック５，５’に内側に向けピンが突設されていても構わない。要するに、２つのブロック体が揺動自在に嵌合されていればよい。
【００９０】
また、収納庫として吊戸棚を例示し、その棚下にレールを取り付ける場合を例示して説明したが、吊戸棚に限られず、本発明は、その他の収納庫にも適用することができる。その上、レールが取り付けられるのは、棚に限られず、天板にも取り付けることが可能である。
【符号の説明】
【００９１】
１，１’：スライドハンガー
２，２’：レール
２０，２０’：レール本体
２１，２１’：折返し片
２２，２２：ガイド部
２３’：張出し部
３，３’：スライドブロック
４：ハンガー
４０：上辺部材
４０ａ：直線部
４０ｂ：正面折返し部
４０ｃ：背面折返し部
４０ｄ：ストッパ部
４１：補強横材
４２：フック
５，５’：外ブロック
５０，５０’：外ブロック本体
５１，５１’：係合爪
５１ａ，５１ａ’：立上り部
５１ｂ，５１ｂ’：爪部
５２，５２’：側壁
５２ａ：嵌合凹部
５２ａ’：嵌合孔
５３，５３’：背面板
５３ａ，５３ａ’：背面孔
５３ｂ，５３ｂ’：ストッパ
５４，５４’：底板
６、６’：内ブロック
６０，６０’：内ブロック
６１，６１’：係合爪
６１ａ，６１ａ’：立上り部
６１ｂ，６１ｂ’：爪部
６１ｃ，６１ｃ’：切欠き部
６１ｄ：凹部
６２，６２’：側壁
６２ａ，６２ａ’：嵌合ピン（ピン）
６３，６３’：正面板
６３ａ，６３ａ’：筒状部
６４，６４’：底板
６４ａ，６４ａ’：平面部
６４ｂ，６４ｂ’：曲面部
７：コイルスプリング（ばね材）
【図１】
2019208588.tif 000003
【図２】
2019208588.tif 000004
【図３】
2019208588.tif 000005
【図４】
2019208588.tif 000006
【図５】
2019208588.tif 000007
【図６】
2019208588.tif 000008
【図７】
2019208588.tif 000009
【図８】
2019208588.tif 000010
【図９】
2019208588.tif 000011
【図１０】
2019208588.tif 000012
【図１１】
2019208588.tif 000013
【図１２】
2019208588.tif 000014
【図１３】
2019208588.tif 000015
【図１４】
2019208588.tif 000016
【図１５】
2019208588.tif 000017
【図１６】
2019208588.tif 000018
【図１７】
2019208588.tif 000019
【図１８】
2019208588.tif 000020
【図１９】
2019208588.tif 000021
【図２０】
2019208588.tif 000022
【図２１】
2019208588.tif 000023